(57)【要約】【課題】組み立てる際に、機器ケースとプリント基板との製品表示部の表示内容が異なる不具合をなくす。【解決手段】調整ユニット１は、プリント基板２と、プリント基板２を収納するユニットケース３とを有する。プリント基板２に、プリント基板２（電気回路部２Ｂ）を特定する製品表示部２Ａを、電気回路部２Ｂ（プリントパターン）と一緒にシルク印刷する。その製品表示部２Ａが、製品となった状態で、ユニットケース３のケース外部に位置し、ケース外部から目視可能である。【選択図】  図１
2005079213.tif 000002
【特許請求の範囲】
【請求項１】
プリント基板と、このプリント基板を収納する機器ケースとを備え、前記プリント基板に、プリント配線による電気回路部と共に、この電気回路部を特定する表示部が印刷されている電子機器ユニットであって、
前記プリント基板が機器ケースに収納された状態で、前記電気回路部は機器ケースの内部に、前記表示部は機器ケースの外部にそれぞれ位置していることを特徴とする電子機器ユニット。
【請求項２】
前記機器ケースの、前記表示部が位置している側とは異なる部分に、他の電子機器ユニットの受けコネクタに接続可能である基板接続用コネクタ部が設けられており、
他の電子機器ユニットの受けコネクタに前記基板接続用コネクタ部を接続した状態で、前記表示部は、前記他の電子機器ユニットの外部から目視可能である請求項１記載の電子機器ユニット。
【請求項３】
プリント基板と、このプリント基板を収納する機器ケースとを備え、前記プリント基板に、プリント配線による電気回路部と共に、この電気回路部を特定する表示部が印刷されている電子機器ユニットであって、
前記機器ケースに、前記表示部をケース外部から目視可能な開口部が形成されていることを特徴とする電子機器ユニット。
【請求項４】
前記開口部は、前記機器ケースの、取付状態で下側になる面に形成されている請求項３記載の電子機器ユニット。
【発明の詳細な説明】
【技術分野】
【０００１】
本発明は、プリント基板を備える電子機器ユニットに関するものである。
【背景技術】
【０００２】
従来より、ほとんどの電子機器ユニット（あるいは電子機器）は、プリント基板やトランスなどの大型電子部品を製品外観となる機器ケースに収納する構成としているが、完成品としての製品には品名、品番、ロットＮｏ．、製造年月日などの製品表示を行わなければならない。そのような製品表示は、製造管理や品質管理のため、プリント基板にも行われる（例えば、特許文献１参照）。
【０００３】
例えばＣＡＴＶ用ダイカストアンプ１０１は、図５に示すように、第１のケーシング１０２と第２のケーシング１０３とが開閉可能に結合されたアンプケース１０４を有し、そのアンプケース１０４内に各種電子部品が収納される。具体的には、メッセンジャーワイヤＳに取り付けられる第１のケーシング１０２内に回路ユニット１０５が収納され、その回路ユニット１０５に電子機器ユニットとしての調整ユニット１０６（例えばアッテネータユニット、ＢＯＮユニット、イコライザーユニット）が装着されるようになっている。
【０００４】
図６及び図７に示すように、回路ユニット１０５は、底シャーシ１０７と蓋シャーシ１０８とが一定間隔を存するように周回フレーム１０９によって取り付けられた箱形状のケーシング１１０を有する。ケーシング１１０内であって両シャーシ１０７，１０８の間にプリント基板１１１が取付固定されている。そして、プリント基板１１１には基板受けコネクタ１１２が取り付けられ、調整ユニット１０６のユニットコネクタ１０６ａが蓋シャーシ１０８の開口部１０８ａを通じて挿入される（差し込まれる）ことで、ユニットコネクタ１０６ａが基板受けコネクタ１１２に脱着可能に電気的に接続される。
【０００５】
ところで、前述した調整ユニット１０６の調整は、ダイカストアンプ１０１の取付工事現場において、ユニットを交換しながら調整されるため、利得などが異なった値に調整されたユニットを多数種類用意しておかなければならない。その種類は、アッテネータユニット、ＢＯＮユニット、イコライザーユニットの３種を合わせると、１５０種類以上にも及ぶ場合があり、もちろんその調整値がユーザーにわかるように、はっきりと表示しておかなければならない。しかもその出荷数量は概して少量である。
【０００６】
このような調整ユニットは、いわば最も典型的な少量多品種製品で、コストダウンのために、ユニットケースやプリント基板などの部品の共通化を図ることが考えられる。そのように共通化を図ると、プリント基板上のわずかな部品の違いによって、全く異なる部品となってしまう。つまり、製品としての組立時に間違いが生じやすい製品である。
【０００７】
そのような組立間違いを回避するために、従来は、プリント基板に、前述したような製品表示を施すだけでなく、それを収納するケースの外面にも製品表示を施すことになる。
【特許文献１】実用新案登録第２５１２６８７号公報（段落番号０００８〜００１０）
【発明の開示】
【発明が解決しようとする課題】
【０００８】
このように、プリント基板とそれのケースとの両方に表示部を施しているため、一つの製品を製作するために二回以上の表示工程が必要になり、表示のためのコストは無視できない状況にある。
【０００９】
発明者は、プリント基板において表示部を設ける位置や、ケースの形状を工夫することにより、ケース内にプリント基板（電気回路部）を収納した状態で、プリント基板に施される表示部がケース外部から目視できるようにすれば、ケース側の製品表示を省略することができ、コストダウンを図れることに着想し、本発明をなすに至ったものである。
【課題を解決するための手段】
【００１０】
請求項１の発明は、プリント基板と、このプリント基板を収納する機器ケースとを備え、前記プリント基板に、プリント配線による電気回路部と共に、この電気回路部を特定する表示部が印刷されている電子機器ユニットであって、前記プリント基板が機器ケースに収納された状態で、前記電気回路部は機器ケースの内部に、前記表示部は機器ケースの外部にそれぞれ位置していることを特徴とする。ここで、「表示部」とは、品名、品番、ロットＮｏ．、製造年月日などの、電子機器ユニットを識別するため情報が表示されている部分を意味する。
【００１１】
このようにすれば、プリント基板の電気回路部が機器ケースの内部に、表示部が機器ケースの外部にそれぞれ位置しているので、そのケースの外部に位置する表示部を目視することで、そのような表示部が機器ケースの外側面に設けられていなくても、どのような用途に用いられる電子機器ユニットであるかを直ちに識別することができる。
【００１２】
よって、プリント基板に表示部を設けるだけであるので、コストアップを招くことなく（プリント基板とそれのケースとの両方に表示部を設ける必要がなく）、組立時にプリント基板と機器ケースの組み合わせを間違えるという製造ミスが確実に回避される。
【００１３】
しかも、プリント基板の表示部は機器ケースの外部に位置しており、プリント基板の性能・機能に影響を与えない部分に設けられているので、その外部に位置している表示部を把持して、他の電子機器ユニットへの取付けのための挿入動作などを実施できる。よって、組み立て作業が容易となる。
【００１４】
請求項２に記載のように、前記機器ケースの、前記表示部が位置している側とは異なる部分に、他の電子機器ユニットの受けコネクタに接続可能である基板接続用コネクタ部が設けられており、他の電子機器ユニットの受けコネクタに前記基板接続用コネクタ部を接続した状態で、前記表示部は、前記他の電子機器ユニットの外部から目視可能である構成とすることが望ましい。
【００１５】
このようにすれば、他の電子機器ユニットに取り付ける前の状態だけでなく、取り付けた後の状態にも、表示部を明確に目視することができるので、その電子機器ユニットがどのような機能を発揮する製品であるかを簡単に確認することができる。
【００１６】
請求項１，２の発明は、主として小型の電子機器ユニットに用いられるものであり、電子機器ユニットが大型の場合には、次の請求項３，４の発明のように構成することができる。
【００１７】
請求項３の発明は、プリント基板と、このプリント基板を収納する機器ケースとを備え、前記プリント基板に、プリント配線による電気回路部と共に、この電気回路部を特定する表示部が印刷されている電子機器ユニットであって、前記機器ケースに、前記表示部をケース外部から目視可能な開口部が形成されていることを特徴とする。
【００１８】
このようにすれば、機器ケースの開口部を通じて、プリント基板に印刷された表示部を目視するだけで、電子機器ユニットの機能を把握することができるので、機器ケースの外側面に表示部を設ける必要がなくなる。また、機器ケースの外側面に表示部を設ける必要がなくなるので、組み立てた際に、請求項１，２の発明と同様に、機器ケースとプリント基板との表示部が異なるというような不具合は確実になくなる。
【００１９】
この場合、請求項４に記載のように、前記開口部は、前記機器ケースの、取付状態で下側になる面に形成されていることが望ましい。
【００２０】
このようにすれば、機器ケースの開口部が下側になるので、その開口部を通じて、埃などが侵入するのが極力回避される。
【発明の効果】
【００２１】
以上のように構成したから、本発明は、機器ケースに表示部を設ける必要がなくなるので、組み立てる際に、機器ケースとプリント基板との表示部の表示内容が異なるというような不具合はなくなる。
【発明を実施するための最良の形態】
【００２２】
以下、本発明の実施の形態を図面に沿って説明する。
（第１の実施の形態）
図１（ａ）（ｂ）はＣＡＴＶ用ダイカストアンプに用いられる本発明に係る調整ユニット（例えばアッテネータユニット、ＢＯＮユニット、イコライザーユニット）の斜視図及び分解斜視図、図２は調整ユニットが装着された状態を示す断面図である。
【００２３】
図１（ａ）（ｂ）に示すように、電子機器ユニットである調整ユニット１は、前述したＣＡＴＶ用ダイカストアンプ１０１の回路ユニット１０５（他の電気機器ユニット）に脱着可能に取り付けられるもので、プリント基板２と、このプリント基板２を収納するユニットケース３（機器ケース）とを有する。この調整ユニット１であるアッテネータユニット、ＢＯＮユニット、イコライザーユニットについては、ユニットケース３はすべて共通部品となっており、プリント基板２もコストダウンのために極力共通化が図られている。この３種類のユニットは、それぞれ、ダイカストアンプ１０１間をつなぐケーブルの長さやケーブルの途中で分岐分配が行われたりすることによって、伝送される高周波信号を補正するためにダイカストアンプ１０１の利得、チルト、周波数特性（Ｆ特）を調整するために使用される。
【００２４】
プリント基板２には、プリント基板２（電気回路部２Ｂ）を特定する製品表示部２Ａがプリント基板２の電気回路部２Ｂ（プリント配線）と同時にシルク印刷され、その製品表示部２Ａが、ユニットケース３の外部に位置している。これにより、製品表示部２Ａを印刷するために、特別な工程が必要なくなり、プリント基板２のプリント配線のシルク印刷と一緒に行うことができる。
【００２５】
ユニットケース３は、上ケース３Ａと下ケース３Ｂとを有する。上ケース３Ａに係合爪部３ｃが形成される一方、下ケース３Ｂに係合爪部３ｃが係脱可能に係合する係合凹部３ｄが形成されている。ユニットケース３は、プリント基板２の電気回路部２Ｂを覆うように（すなわちケース内部に収納されるように）プリント基板２に対して設けられる。その状態では係合爪部３ｃが係合凹部３ｄに係脱可能に係合し、電気回路部２Ｂがユニットケース３の内部に、製品表示部２Ａがユニットケース３の外部にそれぞれ位置している。
【００２６】
下ケース３Ｂには、プリント基板２の位置決めのためのピン３ａが形成され、上ケース３Ａにはプリント基板２の一部が突出するための切り欠き部３ｂが形成されている。プリント基板２の外部に突出する製品表示部２Ａとは、電気回路部２Ｂに関して反対側には、複数の接続ピン２ａが突出する基板接続用コネクタ部２Ｃが設けられている。
【００２７】
そして、調整ユニット１のコネクタ部２Ｃが蓋シャーシ１０８（回路ユニット１０５）の開口部１０８ａを通じて挿入される（差し込まれる）ことで、プリント基板１１１の基板受けコネクタ１１２にコネクタ部２Ｃが取り外し可能に電気的に接続される。なお、ユニットケース３（上ケース３Ａ）には、開口部１０８ａへ挿入の際の位置決めのための突部３ｅが形成されている。
【００２８】
よって、回路ユニット１０５に調整ユニット１を取り付けた後の状態でも、製品表示部２Ａを目視することができるので、取付けの前後にかかわらず、調整ユニット１がどのような機能を発揮する製品であるかを簡単に確認（認識）することができる。
【００２９】
また、プリント基板２にすべての表示を行って製品表示部２Ａをユニットケース３の外部に位置させ、ユニットケース３には全く表示を行わないので、ユニットケース３とプリント基板２の組み合わせの間違いそのものがなくなる。そのため、間違いが起きていないかを確認する工程も省略することができる。その結果、表示コストのみならず、生産管理上必要であったコストを削減することが可能となる。
【００３０】
なお、前記ユニットケース３（機器ケース）の製品表示部２Ａがある側と反対側に基板接続用コネクタ部２Ｃを設けているが、必ずしもそのように表示部２Ａと反対側に設ける必要はなく、コネクタ部２Ｃの接続に影響がなければ、前記ユニットケース３（機器ケース）の、前記表示部２Ａが位置している側とは異なる部分に設けることも可能である。
（第２の実施の形態）
図３（ａ）（ｂ）は本発明に係る大型の電子機器ユニット（ブースター電源装置）の外観を示す斜視図、図４はその分解斜視図である。
【００３１】
図３及び図４に示すように、電子機器ユニットであるブースター電源装置１１は、上ケース１２Ａと下ケース１２Ｂとからなる装置ケース１２（機器ケース）内に、プリント基板１３全体が収納される構成とされている。
【００３２】
上ケース１２Ａの上面部には、社名ブランドマーク、品名が表示される表示面１２Ａａが形成され、スイッチボタン２０が出没可能（ＯＮ・ＯＦＦ可能）に設けられている。
【００３３】
プリント基板１３の下面側（設置状態で下になる側）には、品番、ロットＮｏ．、製造年月日等の製品表示部１３Ａが、シルク印刷されている。この製品表示部１３Ａは、プリントパターン（電気回路部）と一緒にシルク印刷される。下ケース１２Ｂの、製品表示部１３Ａに対応する位置には矩形状の窓部１２Ｂａが開設され、この窓部１２Ｂａを通じて製品表示部１３Ａの表示内容を簡単に目視できる構成とされている。
【００３４】
下ケース１２Ｂの４隅には、ゴム脚１４が設けられると共に、周縁部に嵌合爪部１５が形成され、上ケース１２Ａに嵌合されることで装置ケース１２が構成される。
【００３５】
プリント基板１３には、上ケース１２Ａの切り欠き部１２Ａａを通じて電源ケーブル１６が接続されると共に、入力ケーブル１７及び出力ケーブル１８が取付具１９を介して接続される。
【００３６】
このブースター電源装置１１は、室内で使用される製品であるため、意匠性を要求される社名ロゴマークや品名等は上ケース１２Ａに印刷にて表示している。意匠性を必要とされない品番、ロットＮＯ．、製造年月日等の製品表示部１３Ａはプリント基板１３に、プリントパターン（電気回路部）と共にシルク印刷されており、そのプリント基板１３に設けられた表示部１３Ａが外観に現れるようなした装置ケース１２には窓部１３Ｂａが設けられ、不要な部分が見えたり、通電部分に指が触れたりしないよう、窓部１３Ｂａの周囲には壁が設けられている。
【００３７】
なお、品番などが表示されているプリント基板の表示部は指が触れても感電のおそれがないようにプリント基板のプリントパターンなどに工夫が施されていることはいうまでもない。
【００３８】
前記プリント基板に印刷される製品表示部は、製品として必要な表示のすべてである場合だけでなく、一部だけである場合も含まれる。
【図面の簡単な説明】
【００３９】
【図１】（ａ）はＣＡＴＶ用ダイカストアンプに用いられる本発明に係る電子機器ユニット（例えばアッテネータユニット、ＢＯＮユニット、イコライザーユニット）の斜視図、（ｂ）は同分解斜視図である。
【図２】調整ユニットの装着状態を示す断面図で、図７と同様の図である。
【図３】（ａ）は第２の実施の形態の電子機器ユニットの、底面側からの斜視図、（ｂ）は同ユニットの、上面側からの斜視図である。
【図４】同分解斜視図である。
【図５】従来のＣＡＴＶ用ダイカストアンプの、蓋体を開放した状態の斜視図である。
【図６】従来のＣＡＴＶ用ダイカストアンプの一部を示す説明図である。
【図７】図６のＡ−Ａ線における断面図である。
【符号の説明】
【００４０】
１    調整ユニット
２    プリント基板
２Ａ    製品表示部
２Ｂ    電気回路部
２Ｃ    基板接続用コネクタ部
３    ユニットケース（機器ケース）
１１    ブースター電源装置
１２    装置ケース（機器ケース）
１２Ａ    上ケース
１２Ｂ    下ケース
１２Ｂａ    窓部
１３    プリント基板
１３Ａ    製品表示部
１０１    ＣＡＴＶ用ダイカストアンプ
１０５    回路ユニット（他の電子機器ユニット）
１１１    プリント基板
１１２    基板受けコネクタ
【図１】
2005079213.tif 000003
【図２】
2005079213.tif 000004
【図３】
2005079213.tif 000005
【図４】
2005079213.tif 000006
【図５】
2005079213.tif 000007
【図６】
2005079213.tif 000008
【図７】
2005079213.tif 000009